(57)【要約】【課題】本発明は常時保持している携帯電話機やＰＤＡ等の情報端末機で、自己の健康情報をいつでも把握することができるとともに、該情報を病院等で効率よく利用することできる携帯電話機等の情報端末機を得るにある。【解決手段】操作ボタンや表示画面、音声出力部等を備える携帯電話機等の情報端末機において、情報端末機本体内の制御部に接続された、使用者を識別する記号やデータ等を再利用できるように集めて、記憶する手段とで携帯電話機等の情報端末機を構成している。【選択図】  図１
2004229111.tif 000002
【特許請求の範囲】
【請求項１】
操作ボタンや表示画面、音声出力部等を備える携帯電話機等の情報端末機において、情報端末機本体内の制御部に接続された、使用者を識別する記号やデータ等を再利用できるように集めて、記憶する手段を備える携帯電話機等の情報端末機。
【請求項２】
使用者を識別する記号やデータを再利用できるように集めて、記憶する手段は、使用者を識別する記号やデータを検出や入力する入力手段であることを特徴とする特許請求の範囲第１項記載の携帯電話機等の情報端末機。
【請求項３】
使用者を識別する記号やデータを再利用できるように集めて、記憶する手段は、使用者を識別する記号やデータを検出や入力する入力手段と、この入力手段で検出し、入力した使用者を識別する記号やデータを利用あるいは理解することができる状態に変換する変換手段であることを特徴とする特許請求の範囲第１項記載の携帯電話機等の情報端末機。
【請求項４】
前記情報端末機本体内の制御部に接続された、使用者を識別する記号やデータの検出や入力を利用者に促す手段を備える特許請求の範囲第１、２、３項に記載のいずれかの携帯電話機等の情報端末機。
【請求項５】
使用者を識別する記号やデータは利用者の健康に関する血圧や脈拍等の人体情報であることを特徴とする特許請求の範囲第１、２、３、４項に記載のいずれかの携帯電話機等の情報端末機。
【請求項６】
前記入力手段は利用者の健康に関する血圧や脈拍等の人体情報を検出し、入力するセンサー部であることを特徴とする特許請求の範囲第１、２、３項のいずれかに記載の携帯電話機等の情報端末機。
【請求項７】
前記変換手段は人体の血圧、脈拍、体温等のデータの数値等に応じて、所定のコンテンツ等で表示できるように変換することを特徴とする特許請求の範囲第３、４、５項のいずれかに記載の携帯電話機等の情報端末機。
【請求項８】
使用者を識別する記号やデータは、該使用者が所有する、使用者である個人を識別することができるクレジットカードやキャッシュカード、パスポート等のデータであることを特徴とする
【発明の詳細な説明】
【０００１】
【発明の属する技術分野】
本発明は、使用者を識別する記号やデータ、例えば、人体の血圧、脈拍、体温等の情報を利用することができる携帯電話機やＰＤＡ等の情報端末機に関する。
【０００２】
【従来の技術】
従来、携帯電話機やＰＤＡ等の情報端末機において、病院や病気等の情報を、ブラウザ機能等を利用して、獲得あるいは提供している。また、利用者が、血圧や脈拍等の人体情報を測定できる施設に出向き、人体情報の測定を行い、その測定結果に基づき健康管理を行っている。さらに、使用者を識別する記号やデータ、例えば、クレジットカードやキャッシングカード等はそれぞれを常時持ち歩いている。
【０００３】
【発明が解決しようとする課題】
従来の携帯電話機やＰＤＡ等の情報端末機では、自己の健康情報を常時確実に把握することが困難であるとともに、クレジットカードやキャッシングカード等を使用する場合には常時持ち歩いて、必要に応じて使い分けをしなければならないという欠点があった。
【０００４】
本発明は以上のような従来の欠点に鑑み、常時保持している携帯電話機やＰＤＡ等の情報端末機で、使用者を識別する記号やデータをいつでも把握することができるとともに、該情報を効率よく利用することできる携帯電話機等の情報端末機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は操作ボタンや表示画面、音声出力部等を備える携帯電話機等の情報端末機において、情報端末機本体内の制御部に接続された、使用者を識別する記号やデータ等を再利用できるように集めて、記憶する手段とで携帯電話機等の情報端末機を構成している。
【０００７】
【発明の実施の形態】
以下、図面に示す実施の形態により、本発明を詳細に説明する。
【０００８】
図１ないし図４に示す本発明の第１の実施の形態において、１は携帯電話機、ＰＤＡ、ノート型パーソナルコンピュータ、腕時計、デジタルカメラ等の情報端末機、本実施の形態では携帯電話機で、この携帯電話機１は、従来と同様の携帯電話機本体２と、この携帯電話機本体２に設けられた制御部３、表示部４、操作ボタン部５、アンテナ６等とで構成され、前記携帯電話機１において、前記制御部３に電気的接続され、前記携帯電話機本体２の操作ボタン部５の近傍部位あるいは背面部位に形成された、収集する項目の測定に最適な利用者の体部位と接触するセンサー７を有する、入力手段としてのセンサー部８と、このセンサー部８と電気的接続された、該センサー部８で検出し、測定された人体の血圧、脈拍、体温等の健康状態を、容易に利用あるいは理解することができる数値や指数、グラフ等に変換する変換手段としての変換部９とで構成されている。
なお、前記センサー部８は、スライド移動可能な保護カバー１０が設けられていてもよい。
【０００９】
入力手段としての前記センサー部８は、例えば、血圧を検出する血圧センサー７ａ、脈拍を検出する脈拍センサー７ｂ、体温を測定する体温センサー７ｃ等を使用し、着脱可能に取付けられたものであれば、選択的に使用することができる。なお、前記センサー部８は、任意に計測する形式であっても、血圧、脈拍、体温等を常時計測し続ける形式であってもよい。
【００１０】
上記構成の携帯電話機１は、通常は携帯電話機として使用することができる。
図  に示すように、利用者が血圧、脈拍、体温等の健康状態を知りたいと所望する時は、センサー部８のセンサー７に、収集する項目の測定に最適な利用者の体部位、本実施の形態では指先を所定時間接触させ、検出されたデータは変換部９および制御部３を介して表示部４に数値やグラフとして表示される。
なお、所定時間接触させた後、音声や文字情報等で検出完了を利用者に知らせることができる。
利用者は、検出されたデータを確認することにより、自己の健康情報をいつでも把握することができる。
【００１１】
なお、検出されたデータには、検出した日時データが添付され、日、週間、ヶ月等の所望する期間でデータを集計してグラフ等で表示することもできるので、利用者が所有するパーソナルコンピュータに該データを送信し、日々のデータを編集することもできる。
【００１２】
【発明の異なる実施の形態】
次に、図５ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図５および図６に示す本発明の第２の実施の形態において、前記本発明の第１の実施の形態と主に異なる点は、利用者に対して、人体の血圧、脈拍、体温等のデータの検出時間や場所等を促す、あるいは知らせる手段としてのアラーム１１を用いた点で、このように構成された携帯電話機１Ａでは、前記アラーム１１は、携帯電話機の機能を利用することができ、利用者が任意にデータを検出する時刻、例えば午前２回および午後３回、あるいは午前９時と午後５時等の時刻を所定の操作により設定をして、前記アラーム１１の呼び出し音によって所定時刻に計測することができる。
なお、アラーム音を出せない、携帯電話機の使用を控える場所等では、アラーム音を消して、バイブレータ機能を使用することができるとともに、操作ボタンや表示部を点滅あるいは点灯して知らせることもできる。
【００１４】
図７および図８に示す本発明の第３の実施の形態において、前記本発明の第１の実施の形態と主に異なる点は、血圧、脈拍、体温の数値等に応じて、所定のコンテンツ、例えば、脈拍が８０回であれば深呼吸をする動作を示す絵や映像、体温が３８度であれば寝るとか病院へ行く動作を示す絵や映像等を表示部４に表示できるように変換する変換部９Ａを用いた点で、このように構成された携帯電話機１Ｂにしても、本発明の第１の実施の形態と同様の作用効果を得ることができる。
【００１５】
図９および図１０に示す本発明の第４の実施の形態において、前記本発明の第１の実施の形態と主に異なる点は、は、端部部位に設けられた端子１２を有し、この端子１２とコード１３を介して取付けられた、耳部位に挿入することができるイヤホン形状に形成されたセンサー７とで構成された、入力手段としてのセンサー部８Ａを用いた点で、このように構成された携帯電話機１Ｃは、携帯電話機本体２のイヤホンを挿入できる挿入口Ｘに前記端子１２を挿入して接続し、検出されたデータを処理して、表示部４に表示することができるので、ＰＴＯを考慮することなく、利用者が検出を所望する場合には、簡単に血圧、脈拍、体温等の健康状態を検出することができる。
【００１６】
図１１および図１２に示す本発明の第５の実施の形態において、前記本発明の第４の実施の形態と主に異なる点は、入力手段としてのセンサー部として、携帯電話機本体の下端部部位に設けられた接続端子Ｘａに接続することができる端子１２Ａを有する測定装置８Ａを用いた点で、このように構成された携帯電話機１Ｄにしても、前記測定装置８Ａを接続するだけで、ＰＴＯを考慮することなく、利用者が検出を所望する場合には、簡単に血圧、脈拍、体温等の健康状態を検出することができる。
【００１７】
図１３および図１４に示す本発明の第６の実施の形態において、前記本発明の第１の実施の形態と主に異なる点は、平常時の平常血圧、平常脈拍、平常体温等を予め計測して平常時データとして記憶させるとともに、検出数値が平常時データに比べて高いあるいは低い等の比較データを表示することができる変換部９Ｂを用いた点で、このように構成された携帯電話機１Ｅにしても、本発明の第１の実施の形態と同様の作用効果を得ることができる。
なお、検出されたデータは、携帯電話機のメール機能を利用することにより、係り付けの病院や先生に送信することもでき、医者が平常時データと比較して、正常値の範囲内にあるか否かを容易に判定することができる。
【００１８】
図１５ないし図１７に示す本発明の第７の実施の形態において、前記本発明の第１の実施の形態と主に異なる点は、平常時データとの比較で、異常値が検出された場合に、表示部４に病院や医者に直接電話やメール等を送信することができる緊急ボタン１４を表示する変換部９Ｃを用いた点で、このように構成された携帯電話機１Ｆにしても、本発明の第１の実施の形態と同様の作用効果を得ることができる。
図１７に示すように、本実施の形態では、利用者の健康状態を病院Ｙ等の所定の施設へ定期報告するようにすることも可能で、日常生活において利用者が特別に意識することなく、施設が遠隔で利用者の健康状態のチェックができることは勿論のこと、健康状態が利用者にとって緊急性を要するときには、施設へ緊急報告し、また施設側でも利用者の現在位置を携帯電話機の位置サービス等を利用することで把握できるので、利用者の健康状態の急変に迅速に対処することができる。
なお、個々の携帯電話機で集められた情報をインターネット機能を介して、所定のサーバに蓄積し、携帯電話機からのアクセスによって、個人の健康情報の使用することもできる。
また、個人情報として緊急時に必要な電話番号、メールアドレス等は事前に登録することもでき、携帯電話機の機能を効率よく利用することができる。
さらに、例えば、病院等のコンピュータで、患者カルテのデータに基づいて、上記受信したデータの分析を行い、バイタル情報としてモニタに表示することもできる。カメラ付き携帯電話機を使用すれば、文字データ、音声データ及び画像データを送受信、あるいはカメラを介して、利用者の眼球の異常やリンパ腺の腫れ等を直接見せることによりリアルタイムの問診を行うこともできる。
【００１９】
図１８ないし図２１に示す本発明の第８の実施の形態において、前記本発明の第１の実施の形態と主に異なる点は、入力手段としての操作ボタン部５と、この操作ボタン部５で入力された使用者を識別する記号やデータ、例えば使用者が所有する、使用者である個人を識別することができるクレジットカードやキャッシュカード、パスポート等の番号や暗証番号データを、使用可能な状態に変換する変換手段としての変換部９Ｄとを用いた点で、このように構成された携帯電話機１Ｇでは、該変換部９Ｄを介して、入力されたデータ、例えばキャッシュカードの番号や暗証番号を所定のキャッシュディスペンサーＺで受信可能な状態にデータを変換し、記憶する。
使用時には、所定のキャッシュディスペンサーに対応するデータを呼び出し、赤外線通信やブルートゥース機能等の通信機能を介して、識別データを送信する。
なお、クレジットカードやキャッシュカード、パスポート等の番号や暗証番号データは、カード読取装置で読み取ったデータを通信機能を介して携帯電話機に記憶してもよい。
また、図２１に示すように、前記携帯電話機１Ｇを高速道路等の料金所に設置されているＥＴＣで個人データ読取装置として使用することもでき、また、建物等のオートロックや入出管理等でも使用することができる。
【００２０】
なお、各本実施の形態では携帯電話機について説明したが、本発明はこれに限らず、ＰＤＡ、ノート型パーソナルコンピュータ、腕時計、デジタルカメラ、ＣＤプレーヤ、ＭＤプレーヤ等の情報端末機でもよい。
【００２１】
また、本発明の第１〜７の実施の形態では、血圧を検出する血圧センサー７ａ、脈拍を検出する脈拍センサー７ｂ、体温を測定する体温センサー７ｃを用いたセンサー部について説明したが、これに限らず、血糖値、コレステロール値、体脂肪、血液成分等をそれぞれ検出することができるセンサーや検出装置を使用することによって、様々なデータを検出することができる。
【００２２】
さらに、前記本発明の異なる実施の形態では主に第１の実施の形態を基にして説明したが、本発明はこれに限らず、各実施の形態に使用された構成を組み合わせて使用しても同様な作用効果が得られる。
【００２３】
【発明の効果】
以上の説明から明らかなように、本発明にあっては次に列挙する効果が得られる。
【００２４】
（１）操作ボタンや表示画面、音声出力部等を備える携帯電話機等の情報端末機において、情報端末機本体内の制御部に接続された、使用者を識別する記号やデータ等を再利用できるように集めて、記憶する手段からなるので、常時保持している携帯電話機で、クレジットカード番号や自分の体の健康状態をＰＴＯに関係なく確認して、利用することができる。
【００２５】
（２）前記（１）によって、利用者の体調等の情報をいつでも確実に把握することができるので、休憩をする、水分を補給した方がよい、病院に行こうか等の目安になり、利用者の体調を効率よく管理することができるとともに、安心して外出や遠出等をすることができる。
【００２６】
（３）前記（１）によって、常時所持する携帯電話機等の情報端末機で、容易に自分の健康状態を把握することができるとともに、病院や医師等とデータを共有することができるので、外出先等でも安心感を持つことができる。
【００２７】
（４）請求項２〜７も前記（１）〜（３）と同様な作用効果が得られる。
【００２８】
（５）請求項８も前記（１）と同様な作用効果が得られるとともに、クレジットカードやショッピングカード等を複数枚を持ち歩き、使用する度に取り出す手間を確実に省くことができる。
また、暗証番号等を記憶する必要がないので、忘れる等の不安感を抱くことなく、生活することができる。
【図面の簡単な説明】
【図１】本発明の第１の実施の形態の正面図。
【図２】本発明の第１の実施の形態の側面図。
【図３】本発明の第１の実施の形態の概略説明図。
【図４】本発明の第１の実施の形態の使用状態の説明図。
【図５】本発明の第２の実施の形態の正面図。
【図６】本発明の第２の実施の形態の概略説明図。
【図７】本発明の第３の実施の形態の正面図。
【図８】本発明の第３の実施の形態の概略説明図。
【図９】本発明の第４の実施の形態の正面図。
【図１０】本発明の第４の実施の形態の概略説明図。
【図１１】本発明の第５の実施の形態の正面図。
【図１２】本発明の第５の実施の形態の概略説明図。
【図１３】本発明の第６の実施の形態の正面図。
【図１４】本発明の第６の実施の形態の概略説明図。
【図１５】本発明の第７の実施の形態の正面図。
【図１６】本発明の第７の実施の形態の概略説明図。
【図１７】本発明の第７の実施の形態の使用状態の説明図。
【図１８】本発明の第８の実施の形態の正面図。
【図１９】本発明の第８の実施の形態の概略説明図。
【図２０】本発明の第８の実施の形態の使用状態の説明図。
【図２１】本発明の第８の実施の形態の使用状態の参考図。
【符号の説明】
１、１Ａ〜１Ｇ：情報端末機、        ２：携帯電話機本体、
３：制御部、                        ４：表示部、
５：操作ボタン部、                  ６：アンテナ、
７：センサー、                      ７ａ：血圧センサー、
７ｂ：脈拍センサー、                ７ｃ：体温センサー、
８、８Ａ：センサー部、              ９、９Ａ〜９Ｄ：変換部、
１０：保護カバー、                  １１：アラーム、
１２、１２Ａ：端子、                １３：コード、
１４：緊急ボタン、                  Ｘ：挿入口、
Ｙ：病院、                          Ｚ：キャッシュディスペンサー。
【図１】
2004229111.tif 000003
【図２】
2004229111.tif 000004
【図３】
2004229111.tif 000005
【図４】
2004229111.tif 000006
【図５】
2004229111.tif 000007
【図６】
2004229111.tif 000008
【図７】
2004229111.tif 000009
【図８】
2004229111.tif 000010
【図９】
2004229111.tif 000011
【図１０】
2004229111.tif 000012
【図１１】
2004229111.tif 000013
【図１２】
2004229111.tif 000014
【図１３】
2004229111.tif 000015
【図１４】
2004229111.tif 000016
【図１５】
2004229111.tif 000017
【図１６】
2004229111.tif 000018
【図１７】
2004229111.tif 000019
【図１８】
2004229111.tif 000020
【図１９】
2004229111.tif 000021
【図２０】
2004229111.tif 000022
【図２１】
2004229111.tif 000023